(57)【要約】  【課題】  エアタンクへの空気供給・抜き出しをより効率的に行うことができる、あるいは、充分なマッサージ効果を確保しつつエアタンクの構造をより簡素化することができる等の利点を有するマッサージベルトを提供する。  【解決手段】  このマッサージベルト１は、一対の第１エアタンク２１、第２エアタンク２５間で、エアチューブ３１ならびにエアポンプ４０を介して空気を流動させる。このマッサージベルト１では、直前まで充填状態であったエアタンク内の空気を、これから充填するエアタンクに送るため、大気をポンプアップして充填すべきタンクに送る方式に比べて、タンク内の残圧を有効に利用することができる。したがって、エアポンプ４０の動力が低くても済み、空気の充填を効率的に行うことができる。【選択図】    図１【特許請求の範囲】
【請求項１】
人体の一部に巻き付けられるベルト本体と、
該ベルト本体に内蔵又は付設された複数のエアタンクと、
該エアタンクに空気を送るエアポンプと、
前記各エアタンクへの空気供給・抜き出しを制御する弁と、
を備え、
前記複数のエアタンク間で、直接又は前記エアポンプを介して空気を流動させることにより、各々のエアタンクを交互に空気充填状態・空気抜き状態とすることを特徴とするマッサージベルト。
【請求項２】
前記複数のエアタンクが、一対の第１エアタンク及び第２エアタンクからなり、
これら各エアタンクが、元室、及び、該元室から分岐する複数の分岐室を有する櫛状をしており、
前記第１エアタンクの複数の分岐室と、前記第２エアタンクの複数の分岐室とが、相互に入り組んで互い違いに配列されていることを特徴とする請求項１記載のマッサージベルト。
【請求項３】
前記エアタンクの裏面側（ベルト巻き付け時に人体の一部に当たる面側）に突起が設けられていることを特徴とする請求項１又は２記載のマッサージベルト。
【請求項４】
人体の一部に巻き付けられるベルト本体と、
該ベルト本体に内蔵又は付設された複数のエアタンクと、
該エアタンクに空気を送るエアポンプと、
前記各エアタンクへの空気供給・抜き出しを制御する弁と、
を備え、
前記エアタンクの裏面側（ベルト巻き付け時に人体の一部に当たる面側）に突起が設けられていることを特徴とするマッサージベルト。
【請求項５】
前記複数のエアタンクが、一対の第１エアタンク及び第２エアタンクからなり、
これら各エアタンクが、元室、及び、該元室から分岐する複数の分岐室を有する櫛状をしており、
前記第１エアタンクの複数の分岐室と、前記第２エアタンクの複数の分岐室とが、相互に入り組んで互い違いに配列されていることを特徴とする請求項４記載のマッサージベルト。
【請求項６】
前記第１エアタンクの複数の分岐室、及び／又は、前記第２エアタンクの複数の分岐室の裏面側（ベルト巻き付け時に人体の一部に当たる面側）に突起が設けられていることを特徴とする請求項２又は５記載のマッサージベルト。
【発明の詳細な説明】
【技術分野】
【０００１】
本発明は、疲労等により人体に現れる諸症状（コリ、むくみ、だるさ等）を和らげるため、又は、美容健康促進のために人体に刺激作用を加える際などに、個人が手軽に使用することのできるマッサージベルトに関する。
【背景技術】
【０００２】
従来より、人体のコリ、むくみ、だるさ等の諸症状を和らげるため、あるいは、発汗や血行を促して美容健康を促進するために、各種のマッサージ器具が広く用いられている。この種のマッサージ器具のうち、腕や脚、腰等の人体施療部に巻き付けて使用するタイプのもの（マッサージベルト）は、イス型やベッド型のマッサージ器と比較して、構成がコンパクトであることや、価格が安い等の利点を有するため、個人が手軽に使用することができるマッサージ器具として、現在広く普及している。このようなマッサージベルトには、ベルトに内蔵された空気袋に空気を出し入れし、この空気袋を膨張・収縮させることで人体へ刺激作用（マッサージ効果）を与えるよう構成されたものがある。【０００３】
例えば、特許文献１（実公昭５９−１１０１３号公報）に開示されたエアーマッサージ機は、空気袋が複数個連なって構成された圧迫帯と、この圧迫帯を人体施療部へ巻き付け固定する巻装帯を有する。圧迫帯と巻装帯とは着脱自在となっており、圧迫帯の取り付け方向は可変自在となっている。圧迫帯の各空気袋は、ポンプからの空気が供給されて膨張・収縮する。ポンプからの空気は、各空気袋にパイプを介して接続された弁装置を経て、各空気袋のそれぞれへと供給される。【０００４】
この特許文献１のエアーマッサージ機によれば、圧迫帯の取り付け方向を変えることで、身体を縦方向に圧迫したり横方向にさすったりすることができるので、１つのマッサージ機で種々のマッサージ効果を得ることができ、使い勝手が向上するとされている。
しかしながら、このエアーマッサージ機は、複数個の空気袋のそれぞれに独立に空気を出し入れし、各空気袋を膨張・収縮させる構成であるため、比較的大きめのポンプ動力が必要となる。【０００５】
さらに、特許文献２（特開２０００−９３４７３号公報）には、空気圧マッサージ器用空気袋が開示されている。この空気袋は、内層側（人体施療部側）に間隔を置いて配置される複数の単体の内袋（セルと呼ばれる）と、これら内層側の各セルの間に架設状態で配置される複数の外層側（反人体施療部側）のセルを有する。内外のセルは、プラスチック製のシート状素材の外周縁部を溶着することで袋状に形成されたものであり、内側シートと外側シートとからなる外袋（空気袋本体）に内蔵されている。【０００６】
この特許文献２の空気袋は、プラスチック製のシート状素材を溶着することでセルを形成している。そのため、ラテックス製のセルに比べると、耐久性が向上する、量産化が容易である、品質が安定する等の利点があるとされている。あるいは、塩化ビニール製のセルに比べると、耐久性が向上する、廃棄の際の焼却処分で公害問題を発生させるおそれも回避できる等の利点があるとされている。さらに、この空気袋は、内外のセルを互い違いに配列していることで、各セル間の非伸縮部分をなくし、人体の揉み残しを少なくすることができる利点もあるとされている。
しかしながら、この空気袋は、内外２層のセルを重ねているので、空気袋自体の構造が複雑化・大型化することは否めない。【０００７】
【特許文献１】実公昭５９−１１０１３号公報（図１）
【特許文献２】特開２０００−９３４７３号公報
【発明の開示】
【発明が解決しようとする課題】
【０００８】
本発明は、前述の課題を解決するためになされたものであって、エアタンクへの空気供給・抜き出しをより効率的に行うことができる、あるいは、充分なマッサージ効果を確保しつつエアタンクの構造をより簡素化することができる等の利点を有するマッサージベルトを提供することを目的とする。
【課題を解決するための手段】
【０００９】
本発明のマッサージベルトは、人体の一部に巻き付けられるベルト本体と、  該ベルト本体に内蔵又は付設された複数のエアタンクと、  該エアタンクに空気を送るエアポンプと、  前記各エアタンクへの空気供給・抜き出しを制御する弁と、を備え、  前記複数のエアタンク間で、直接又は前記エアポンプを介して空気を流動させることにより、各々のエアタンクを交互に空気充填状態・空気抜き状態とすることを特徴とする。
なお、前記「空気充填状態」とは、空気がエアタンク内に充填されて比較的高圧となっている状態をいい、前記「空気抜き状態」とは、空気を抜いて他のエアタンクに送り、比較的低圧となっている状態をいう。この「空気抜き状態」における比較的低圧の状態は、大気圧より少々高めの状態でもよい。【００１０】
このマッサージベルトによれば、直前まで充填状態であったエアタンク内の空気を、これから充填するエアタンクに送るため、大気をポンプアップして充填すべきタンクに送る方式に比べて、タンク内の残圧を有効に利用することができる。したがって、ポンプの動力が低くても済み、空気の充填を効率的に行うことができる。【００１１】
本発明のマッサージベルトにおいては、前記複数のエアタンクが、一対の第１エアタンク及び第２エアタンクからなり、  これら各エアタンクが、元室、及び、該元室から分岐する複数の分岐室を有する櫛状をしており、  前記第１エアタンクの複数の分岐室と、前記第２エアタンクの複数の分岐室とが、相互に入り組んで互い違いに配列されているものとすることができる。
この場合、第１エアタンクの複数の分岐室と第２エアタンクの複数の分岐室とが、相互に入り組んで互い違いに配列されているので、良好な揉み込み感を得ることができる。それでいて、エアタンクを複数層で構成するものに比べて、構成の複雑化・全体構造の大型化を引き起こさずに済む。
なお、各分岐室の形状は、山形（くの字形）、楔形、台形等を採用することができる。【００１２】
本発明のマッサージベルトにおいては、前記エアタンクの裏面側（ベルト巻き付け時に人体の一部に当たる面側）に突起が設けられているものとすることができる。
本発明の他のマッサージベルトは、人体の一部に巻き付けられるベルト本体と、  該ベルト本体に内蔵又は付設された複数のエアタンクと、  該エアタンクに空気を送るエアポンプと、  前記各エアタンクへの空気供給・抜き出しを制御する弁と、を備え、  前記エアタンクの裏面側（ベルト巻き付け時に人体の一部に当たる面側）に突起が設けられていることを特徴とする。【００１３】
このようなマッサージベルトは、エアタンクの膨張・収縮に伴って、突起が人体表面に間欠的に押し込まれるように動き、この突起の動きによって人体へのより効果的な揉み込み効果が得られる。これにより、マッサージベルト使用時の刺激作用（マッサージ効果）をより向上できる。【００１４】
本発明の他のマッサージベルトにおいては、前記複数のエアタンクが、一対の第１エア
タンク及び第２エアタンクからなり、  これら各エアタンクが、元室、及び、該元室から分岐する複数の分岐室を有する櫛状をしており、  前記第１エアタンクの複数の分岐室と、前記第２エアタンクの複数の分岐室とが、相互に入り組んで互い違いに配列されているものとすることができる。【００１５】
本発明のマッサージベルトにおいては、前記第１エアタンクの複数の分岐室、及び／又は、前記第２エアタンクの複数の分岐室の裏面側（ベルト巻き付け時に人体の一部に当たる面側）に突起が設けられているものとすることができる。
この場合、各分岐室の突起の運動により、より微細な揉み込み効果が得られ、マッサージベルト使用時の刺激作用（マッサージ効果）をより向上できる。
【発明の効果】
【００１６】
本発明によれば、エアタンクへの空気供給・抜き出しをより効率的に行うことができる、あるいは、充分なマッサージ効果を確保しつつエアタンクの構造をより簡素化することができる等の利点を有するマッサージベルトを提供できる。
【発明を実施するための形態】
【００１７】
以下、本発明の実施の形態について、図面を参照しつつ詳細に説明する。
図１は、本実施の形態に係るマッサージベルトの全体構成を示す平面図である。（Ａ）は裏面側のシートの一部を捲って内部を露出させた状態を示す図であり、（Ｂ）は表面側の状態を示す図である。
図２は、図１（Ａ）のＸ−Ｘ線断面図である。
図３〜図６は、それぞれ同マッサージベルトのエアポンプ付近の構造を拡大して示す詳細図である。
図７は、同マッサージベルトの各エアタンクへの空気充填状態・空気抜き状態を説明するためのタイムチャートである。
【００１８】
図１及び図２に示すように、マッサージベルト１は、人体の一部に巻き付けられるベルト本体１０を備えている。このベルト本体１０は、裏面側（巻き付け時に人体に接する側）の撥水性シート１１と、表面側（反裏面側）の合成皮革製等からなる表地１３とを有している。撥水性シート１１の内側には、さらにスポンジシート１５が設けられている。ベルト本体１０は、撥水性シート１１と表地１３との端縁同士が貼り合わされて、袋帯状に形成されている。なお、撥水性シート１１は、遠赤外線効果のある光電子繊維等を用いて形成することもできる。
【００１９】
ベルト本体１０内には、プラスチック製等からなるエアタンク２０が内蔵されている。図１（Ａ）に示すように、このエアタンク２０は、一対の第１エアタンク２１及び第２エアタンク２５からなる。第１エアタンク２１は、図中左右方向に延びる直線状の元室２２、及び、この元室２２から分岐する分岐室２３ａ〜２３ｆを有する櫛状をしている。第１エアタンク２１の分岐室２３ａ、２３ｆは山形をしており、分岐室２３ｂ、２３ｃ、２３ｄ、２３ｅはくの字形をしている。
【００２０】
一方、第２エアタンク２５は、直線状の元室２６、及び、この元室２６から分岐する分岐室２７ａ〜２７ｅを有する櫛状をしている。第２エアタンク２５の分岐室２７ａ、２７ｂ、２７ｄ、２７ｅはくの字形をしており、分岐室２７ｃは鼓形をしている。そして、第１エアタンク２１の各分岐室２３ａ〜２３ｆと、第２エアタンク２５の各分岐室２７ａ〜２７ｅとは、相互に入り組んで、図１（Ａ）中左右方向に沿って互い違いに配列されている。
【００２１】
このようなエアタンク２０は、例えば、２枚のプラスチック製シートを重ね合わせ、外
周縁部と、両エアタンク２１、２５の境界部とをホットシール等によって接合させることで成形することができる。その他、例えば接着剤による接着や、超音波溶着等によっても成形することができる。
なお、エアタンクの寸法は、一例で縦幅１２ｃｍ、横幅５０〜６０ｃｍである。この寸法のエアタンクを内蔵するベルト本体の寸法は、一例で縦幅１３ｃｍ、横幅１２５ｃｍである。
【００２２】
図３〜図６の各図に示すように、エアタンク２０には、エアチューブ３１を介して、エアポンプ４０が接続されている。本実施例におけるエアチューブ３１は、大きく分けて４つの部位（チューブ３１Ａ〜３１Ｄ）からなる。チューブ３１Ａは、第１エアタンク２１とエアポンプ４０出側との間を繋いでいる。チューブ３１Ｂは、前記チューブ３１Ａの途中と第２エアタンク２５との間を繋いでいる。チューブ３１Ｃは、第２エアタンク２５とエアポンプ４０入側との間を繋いでいる。チューブ３１Ｄは、前記Ｃチューブ３１Ｃの途中と第１エアタンク２１との間を繋いでいる。これら各チューブ３１Ａ〜３１Ｄのタンク側付け根部分には、それぞれ電磁弁３３Ａ〜３３Ｄが組み込まれている。さらに、チューブ３１Ｃのエアポンプ４０付け根部分には、大気連通用の電磁弁３４が組み込まれている。
【００２３】
図１（Ａ）に示すように、エアポンプ４０には、ポンプ駆動用のモーター４１が一体に付設されている。このモーター４１は、バッテリー４３に接続されている。このバッテリー４３には、ＡＣ／ＤＣアダプター４５が接続されている。ＡＣ／ＤＣアダプター４５のケーブル４５ａは、バッテリー４３に着脱自在となっている。バッテリー４３を充電式とする場合は、ＡＣ／ＤＣアダプター４５を商用交流電源に繋いで使用する。あるいは、このモーター４１は、非充電式（乾電池等）で駆動することもできる。
【００２４】
図１（Ａ）及び図２に示すように、ベルト本体１０の表地１３側において、第２エアタンク２５の分岐室２７ｃ中央部にはバイブレーター５０が設けられている。このバイブレーター５０は、バッテリー４３に電気的に接続されている。バイブレーター５０は、偏心マス回転式等のものであって、マッサージベルト１着用時にエアタンク２０による揉み込みと同時使用することで、人体に心地よい微振動を与えることができる。
【００２５】
図１（Ｂ）に示すように、ベルト本体１０の撥水性シート１１端部及び表地１３端部には、一対の面テープ（マジックテープ（登録商標）等）５５が設けられている。マッサージベルト１を人体に巻き付けた後、これら面テープ５５を貼り合わせることで、マッサージベルト１が人体からずり落ちたりしないよう固定できる。さらに、ベルト本体１０の表地１３には、スイッチ部５１が設けられている。このスイッチ部５１は、主ＯＮ／ＯＦＦスイッチ５１ａと、エアポンプ稼動用ＯＮ／ＯＦＦスイッチ５１ｂと、バイブレーター稼動用ＯＮ／ＯＦＦスイッチ５１ｃとを有する。スイッチ部５１には、前述のエアポンプ４０の駆動制御ならびに電磁弁３３Ａ〜３３Ｄ、及び、電磁弁３４の開閉制御を行うコントローラー（図示されず）が付設されている。
【００２６】
次に、主に図３〜図６、図７を参照しつつ、前述のマッサージベルト１の作用について説明する。
図７は、本実施例のマッサージベルトの各エアタンクへの空気充填状態・空気抜き状態を説明するためのタイムチャートである。
マッサージベルト１は、ベルト本体１０を人体施療部に巻き付けて使用する。マッサージベルト１を人体施療部に巻き付けた後は、一対の面テープ５５を貼り合わせて固定する。そして、スイッチ部５１の主ＯＮ／ＯＦＦスイッチ５１ａをＯＮとした後、エアポンプ稼動用ＯＮ／ＯＦＦスイッチ５１ｂをＯＮとする。なお、エアタンク２０による揉み込みと同時にバイブレーター５０を使用したい場合は、バイブレーター稼動用ＯＮ／ＯＦＦス
イッチ５１ｃもＯＮとする。
【００２７】
エアポンプ稼動用ＯＮ／ＯＦＦスイッチ５１ｂがＯＮになると、図３に示すように、大気連通用の電磁弁３４が開となり、エアチューブ３１を介して第１エアタンク２１内に所定量の空気が送り込まれる。このとき、コントローラー（図示されず）の指令により、電磁弁３３Ａ、３３Ｃは開となっているとともに、電磁弁３３Ｂ、３３Ｄは閉となっており、電磁弁３４から取り込まれた空気は、エアポンプ４０からチューブ３１Ａを介して第１エアタンク２１内にのみ送り込まれ、第２エアタンク２５側へは流れない（図３の矢印参照）。そして、図７のＰ１に示すように、第１エアタンク２１内が所定圧（本実施例では０．２〜０．８ｋｇｆ／ｃｍ２程度とする）となった時点で電磁弁３４が閉となり、図７のＰ２に示す間の第１エアタンク２１の膨張によって、人体施療部にマッサージ効果が与えられる。なお、図７のＰ１に至った時点でエアポンプ４０は一旦停止し、Ｐ２に示す第１エアタンク２１の膨張中、同ポンプ４０は停止している。
【００２８】
次いで、図４に示すように、電磁弁３４が閉のまま、電磁弁３３Ａ、３３Ｃが閉に切り換り、電磁弁３３Ｂ、３３Ｄが開に切り換って、チューブ３１Ａと３１Ｃとの間で空気が自由に流れる状態となる。そして、図７のＰ３に至ったときにエアポンプ４０が再び稼動し、第１エアタンク２１と第２エアタンク２５との圧力差にも助けられて、第１エアタンク２１側から、チューブ３１Ｄ→チューブ３１Ｃ→エアポンプ４０→チューブ３１Ａ→チューブ３１Ｂを介して、第２エアタンク２５側へと空気が流れ、図７のＰ３からＰ４の状態に移行する。
【００２９】
図７のＰ４の状態に移行した時点では、第１エアタンク２１内の圧力はゼロに近い状態（本実施例では０〜０．１ｋｇｆ／ｃｍ２程度とする）となっているが、第１エアタンク２１内の空気量はゼロにはなっておらず、若干の残留空気が存在する。そして、図７のＰ５に示す間の第２エアタンク２５の膨張によって、人体施療部にマッサージ効果が与えられる。なお、図７のＰ４に至った時点でエアポンプ４０は一旦停止し、Ｐ５に示す第２エアタンク２５の膨張中、同ポンプ４０は停止している。
【００３０】
次いで、図５に示すように、電磁弁３３Ａ、３３Ｃが再び開に切り換り、電磁弁３３Ｂ、３３Ｄが再び閉に切り換って、チューブ３１Ａと３１Ｃとの間で空気が自由に流れる状態となる。そして、図７のＰ６に至ったときにエアポンプ４０が再び稼動し、第２エアタンク２５と第１エアタンク２１との圧力差にも助けられて、第２エアタンク２５側から、チューブ３１Ｃ→エアポンプ４０→チューブ３１Ａを介して、第１エアタンク２１側へと空気が流れ、図７のＰ６からＰ７の状態に移行する。
【００３１】
図７のＰ７の状態に移行した時点では、第２エアタンク２５内の圧力はゼロに近い状態（本実施例では０〜０．１ｋｇｆ／ｃｍ２程度とする）となっているが、第２エアタンク２５内の空気量はゼロにはなっておらず、若干の残留空気が存在する。そして、図７のＰ８に示す間の第１エアタンク２１の膨張によって、人体施療部にマッサージ効果が与えられる。なお、図７のＰ７に至った時点でエアポンプ４０は一旦停止し、Ｐ８に示す第１エアタンク２１の膨張中、同ポンプ４０は停止している。
【００３２】
この後、図７のＰ９以降は、前述の同様のサイクルが繰り返され、第１エアタンク２１、第２エアタンク２５の交互の膨張・収縮によって、人体施療部にマッサージ効果が与えられる。そして、マッサージベルト１の使用を終了するには、スイッチ部５１の各スイッチをＯＦＦとする。すると、図６に示すように、エアポンプ４０が停止し、電磁弁３４が開となり、第１、第２エアタンク２１、２５内の空気がチューブ３１Ａ、３１Ｃを介して大気開放される（図６の矢印参照）。これで、エアタンク２０が潰れる状態となるので、非使用時にはマッサージベルト１を折り畳んで収納することができる。
【００３３】
このように、本実施例のマッサージベルト１によれば、第１エアタンク２１と第２エアタンク２５との間の圧力差を利用して、相互に空気を送ることができる。そのため、エアタンク内の残圧を有効に利用することができるので、エアポンプ４０の動力が低くても済み、空気の充填を効率的に行うことができる。さらに、同マッサージベルト１においては、第１エアタンク２１の分岐室２３ａ〜２３ｆと第２エアタンク２５の分岐室２７ａ〜２７ｅとが、相互に入り組んで互い違いに配列されているので、マッサージベルト１を巻き付けた人体施療部に対して良好な揉み込み感を得ることができる。
【００３４】
以下、図８を参照しつつ、エアタンクの変形例について説明する。
図８（Ａ）、（Ｂ）は、それぞれ本実施例に係るエアタンクの変形例を示す平面図である。
図８（Ａ）に示すエアタンク６０は、一対の第１エアタンク６１及び第２エアタンク６５からなる。第１エアタンク６１は、図中左右方向に延びる直線状の元室６２、及び、この元室６２から分岐する分岐室６３ａ〜６３ｅを有する櫛状をしており、第２エアタンク６５は、直線状の元室６６、及び、この元室６６から分岐する分岐室６７ａ〜６７ｅを有する櫛状をしている。各分岐室６３ａ〜６３ｅ、及び、６７ａ〜６７ｅは短冊状をしており、図８（Ａ）中左右方向に沿って相互に入り組んで互い違いに配列されている。
【００３５】
図８（Ｂ）に示すエアタンク７０は、一対の第１エアタンク７１及び第２エアタンク７５からなる。第１エアタンク７１は、図中左右方向に延びる直線状の元室７２、及び、この元室６２から分岐する分岐室７３ａ〜７３ｅを有する櫛状をしている。分岐室７３ａ、７３ｂ、７３ｄ、７３ｅは元室７２から斜めに延び出る短冊状をしており、分岐室７３ｃは台形状をしている。一方、第２エアタンク７５は、直線状の元室７６、及び、この元室７６から分岐する分岐室７７ａ〜７７ｅを有する櫛状をしている。両端の分岐室７７ａ、７７ｆは台形状をしており、分岐室７７ｂ〜７７ｅは元室７６から斜めに延び出る短冊状をしている。そして、各分岐室７３ａ〜７３ｅ、及び、７７ａ〜７７ｆは、図８（Ｂ）中左右方向に沿って相互に入り組んで互い違いに配列されている。
【００３６】
このようなエアタンク６０、７０を採用した場合も、前述のエアタンク２０と同様に、マッサージベルト１を巻き付けた人体施療部に対して良好な揉み込み感を得ることができる。
【００３７】
次に、本発明に係るエアタンクの他の実施例について説明する。
図９は、本発明の他の実施例に係るエアタンクを示す平面図である。
図１０は、同エアタンクに設けられた突起を示す図である。（Ａ）は側断面図であり、（Ｂ）は平面図である。
図１１（Ａ）は同エアタンクのエアポンプ接続部の構造を示す平面図であり、図１１（Ｂ）は同エアポンプ接続部の接続口の構造を示す側面図であり、図１１（Ｃ）は同接続口の構造を示す正面図である。
【００３８】
図９に示すエアタンク８０は、一対の第１エアタンク８１及び第２エアタンク８５からなる。第１エアタンク８１は、図中左右方向に延びる直線状の元室８２、及び、この元室８２から分岐する分岐室８３ａ〜８３ｄを有する櫛状をしており、第２エアタンク８５は、直線状の元室８６、及び、この元室８６から分岐する分岐室８７ａ〜８７ｄを有する櫛状をしている。各分岐室８３ａ〜８３ｄ、及び、８７ａ〜８７ｄは四角形状をしており、図９中左右方向に沿って相互に入り組んで互い違いに配列されている。第１、第２エアタンク８１、８５は、エアタンク８０の表裏２枚のシートの接合部（ホットシール部８４）で区画されている。このホットシール部８４は、各分岐室８３ａ〜８３ｄ、８７ａ〜８７ｄの形状に沿って波形状に形成されている。なお、エアタンク８０の外周縁部もホットシ
ール部８８で接合されている。
【００３９】
第１、第２エアタンク８１、８５の各分岐室８３ａ〜８３ｄ、８７ａ〜８７ｄのそれぞれの裏面側（ベルト巻き付け時に人体に当たる面側）には、プラスチック成形品等の突起９１が設けられている。図１０に示すように、突起９１の先端部９１ａ（ベルト巻き付け時に人体に当たる側）は、滑らかな半球面状に形成されている。突起９１の基端側（反先端側）外周縁には、リング状に張り出した融着部９１ｂが形成されている。突起９１の内側は空洞であって、基端側に開放されている。この突起９１の寸法は、一例で幅（直径）ｔ＝３０ｍｍ、高さｈ＝３０ｍｍである。各突起９１は、基端側の融着部９１ｂがエアタンク８０の裏面側（前述したベルト本体１０の撥水性シート１１側の面：ベルト巻き付け時に人体に向く側の面）に高周波融着等によって融着されて固定されている。各突起９１の内部とエアタンク８１、８５内部とは、上記の撥水性シートによって隔てられている。
【００４０】
図９の右端側に示すように、各エアタンク８１、８５は、それぞれエアチューブ９０を介して前述と同様のエアポンプ４０に繋がっている。各エアタンク８１、８５のエアポンプ接続部には、プラスチック成形品等からなる接続口９３が設けられている。図１１にわかり易く示すように、各接続口９３は、円盤状をした融着板部９４及びその上の基板部９５を備えている。基板部９５には、Ｌ型のエルボ部９６が形成されている。このエルボ部９６の先側には、チューブ連結部９７が形成されている。このチューブ連結部９７の先端部９８は、外径が大きく形成されている。接続口９３内部には、チューブ連結部９７及びその先の先端部９８、エルボ部９６、融着板部９４及びその下の基板部９５を貫通するエア流路９９が形成されている。この接続口９３は、融着板部９４がエアタンク８０の裏面側に高周波融着等によって融着されて固定されている。そして、チューブ連結部９７の先の先端部９８がエアチューブ９０端部に内挿されて接続されている。
【００４１】
このようなエアタンク８０は、各エアタンク８１、８５の膨張・収縮に伴って、各突起９１が人体表面に間欠的に押し込まれるように動き、各突起９１の半球面状の先端部９１ａが人体施療部に当たってより効果的な揉み込み効果が得られる。これにより、マッサージベルト使用時の刺激作用（マッサージ効果）をより向上できる。
【図面の簡単な説明】
【００４２】
【図１】本実施の形態に係るマッサージベルトの全体構成を示す平面図である。（Ａ）は裏面側のシートの一部を捲って内部を露出させた状態を示す図であり、（Ｂ）は表面側の状態を示す図である。
【図２】図１（Ａ）のＸ−Ｘ線断面図である。
【図３】同マッサージベルトのエアポンプ付近の構造を拡大して示す詳細図である。
【図４】同マッサージベルトのエアポンプ付近の構造を拡大して示す詳細図である。
【図５】同マッサージベルトのエアポンプ付近の構造を拡大して示す詳細図である。
【図６】同マッサージベルトのエアポンプ付近の構造を拡大して示す詳細図である。
【図７】本実施例のマッサージベルトの各エアタンクへの空気充填状態・空気抜き状態を説明するためのタイムチャートである。
【図８】それぞれ本実施例に係るエアタンクの変形例を示す平面図である。
【図９】本発明の他の実施例に係るエアタンクを示す平面図である。
【図１０】同エアタンクに設けられた突起を示す図である。（Ａ）は側断面図であり、（Ｂ）は平面図である。
【図１１】図１１（Ａ）は同エアタンクのエアポンプ接続部の構造を示す平面図であり、図１１（Ｂ）は同エアポンプ接続部の接続口の構造を示す側面図であり、図１１（Ｃ）は同接続口の構造を示す正面図である。
【符号の説明】
【００４３】
１  マッサージベルト
１０  ベルト本体                            １１  撥水性シート
１３  表地                                  １５  スポンジシート
２０  エアタンク
２１  第１エアタンク
２２  元室                                  ２３ａ〜２３ｆ  分岐室
２５  第２エアタンク
２６  元室                                  ２７ａ〜２７ｅ  分岐室
３１（３１Ａ〜３１Ｄ）  エアチューブ
３３Ａ〜３３Ｄ  電磁弁                      ３４  （大気連通用の）電磁弁
４１  モーター                              ４３  バッテリー
４５  ＡＣ／ＤＣアダプター                  ５０  バイブレーター
５１  スイッチ部                            ５５  面テープ
６０、７０、８０  エアタンク
６１、７１、８１  第１エアタンク            ６５、７５、８５  第２エアタンク
６２、６６、７２、７６、８２、８６  元室
６３ａ〜６３ｅ、６７ａ〜６７ｅ、７３ａ〜７３ｅ、７７ａ〜７７ｅ、８３ａ〜８３ｄ、８７ａ〜８７ｄ  分岐室
９１  突起
９１ａ  先端部                                ９１ｂ  融着部
９３  接続口
【図１】
2005122996.tif 000002
【図２】
2005122996.tif 000003
【図３】
2005122996.tif 000004
【図４】
2005122996.tif 000005
【図５】
2005122996.tif 000006
【図６】
2005122996.tif 000007
【図７】
2005122996.tif 000008
【図８】
2005122996.tif 000009
【図９】
2005122996.tif 000010
【図１０】
2005122996.tif 000011
【図１１】
2005122996.tif 000012
【国際調査報告】
2005122996.tif 000013
2005122996.tif 000014
2005122996.tif 000015
2005122996.tif 000016